(57)【要約】【課題】  外部からの電力を受電する接続端子の腐食を防止する燃料ポンプを提供する。【解決手段】  ステータの巻線と電気的に接続する接続端子３７、３８、３９を収容する区画室４５１、４５２、４５３と電気コネクタ部４５の外部とは、第１連通孔４６１、４６２、４６３、４６４、４７６、４７７、４７８を介して連通している。第１連通孔４６１、４６２、４６３、４６４、４７６、４７７、４７８は、燃料ポンプの中心軸φが天地方向に対して傾くと、外部側の開口が形成する開口面に対する垂直な方向Ｄ８１、Ｄ８２、Ｄ８３、Ｄ８４、Ｄ８６、Ｄ８７、Ｄ８８のうち少なくとも一つが地側に向くよう形成されている。これにより、区画室４５１、４５２、４５３に溜まる異物は、燃料ポンプがいずれの方向に傾いても第１連通孔４６１、４６２、４６３、４６４、４７６、４７７、４７８を介して外部に排出される。【選択図】  図４
2015059434.tif 000002
【特許請求の範囲】
【請求項１】
燃料を内部に吸入する吸入口（６１）、及び、燃料を外部に吐出する吐出口（４２２）を有するポンプケース（２０、４０、６０）と、
複数の巻線（１６１、１６３）が巻回され、前記ポンプケースの内部に収容される筒状のステータ（１０）と、
前記ステータの径方向内側に回転可能に設けられるロータ（５０）と、
前記ロータと同軸に設けられ、前記ロータと一体に回転するシャフト（５２）と、
前記シャフトの一方の端部（５２２）に設けられ、前記シャフトとともに回転すると、前記吸入口から流入した燃料を加圧し前記吐出口から吐出するインペラ（６５）と、
前記ポンプケースに設けられ、前記巻線に供給される電力を受電する接続端子（３７、３８、３９）を収容する収容室（４５１、４５２、４５３）、及び、前記収容室と外部とを連通する複数の第１連通孔（４６１、４６２、４６３、４６４、４７６、４７７、４７８）を有する電気コネクタ部（４５）と、
を備え、
複数の前記第１連通孔は、前記ポンプケースの中心軸（φ）が天地方向に対して傾くと、外部側の開口（８１、８２、８３、８４、８６、８７、８８）が形成する開口面（Ｐ８１、Ｐ８２、Ｐ８３、Ｐ８４、Ｐ８６、Ｐ８７、Ｐ８８）に対する垂直な方向（Ｄ８１、Ｄ８２、Ｄ８３、Ｄ８４、Ｄ８６、Ｄ８７、Ｄ８８）の少なくとも一つが地側に向くよう形成されることを特徴とする燃料ポンプ。
【請求項２】
前記第１連通孔は、前記電気コネクタ部の地側に形成されることを特徴とする請求項１に記載の燃料ポンプ。
【請求項３】
前記収容室を形成する内壁のうち前記接続端子が設けられる地側の内壁（３８１、３８２）は、前記接続端子が設けられる位置から複数の前記第１連通孔が形成される位置に向かって天側から地側に傾斜するよう形成されることを特徴とする請求項１または２に記載の燃料ポンプ。
【請求項４】
複数の前記第１連通孔を形成する側壁（８１２、８２１、８２２、８３１、８３２、８４１）は、平行に形成されることを特徴とする請求項１から３のいずれか一項に記載の燃料ポンプ。
【請求項５】
前記電気コネクタ部は、前記収容室を複数の区画室（４５１、４５２、４５３）に区画する隔壁（４９１、４９２）を有し、
前記隔壁は、隣り合う前記区画室を連通する第２連通孔（４９３、４９４）を有することを特徴とする請求項１から４のいずれか一項に記載の燃料ポンプ。
【発明の詳細な説明】
【技術分野】
【０００１】
本発明は、燃料ポンプに関する。
【背景技術】
【０００２】
ポンプ室内で回転可能なインペラと、インペラを回転駆動可能なモータとを備え、インペラの回転によって燃料タンクの燃料を内燃機関に圧送する燃料ポンプが知られている。燃料ポンプには、モータに供給される電力を受電する電気コネクタ部が設けられている。特許文献１には、有底筒状に形成されている電気コネクタ部の内部と外部とを連通する連通孔を有し、当該連通孔を介して電気コネクタ部の内部に溜まる水などを外部に排出する燃料ポンプが記載されている。
【先行技術文献】
【特許文献】
【０００３】
【特許文献１】特開２０１２−０５５０５４号公報
【発明の概要】
【発明が解決しようとする課題】
【０００４】
しかしながら、特許文献１に記載の燃料ポンプでは、連通孔の外部側の開口は、一方向にのみ排出可能なよう形成されているため、燃料ポンプが傾く方向によって電気コネクタ部の内部に溜まる水などの異物が開口を通って排出されない。このため、金属から形成され電気コネクタ部に収容されている接続端子が水などの異物によって腐食するおそれがある。
【０００５】
本発明の目的は、外部からの電力を受電する接続端子の腐食を防止する燃料ポンプを提供することにある。
【課題を解決するための手段】
【０００６】
本発明は、ポンプケースと、複数の巻線が巻回されポンプケースの内部に収容されるステータと、ロータと、シャフトと、インペラと、ポンプケースに設けられ巻線に供給される電力を受電する接続端子を収容する収容室及び収容室と外部とを連通する複数の第１連通孔を有する電気コネクタ部と、を備える燃料ポンプであって、複数の第１連通孔は、ポンプケースの中心軸が天地方向に対して傾くと、外部側の開口が形成する開口面に対する垂直な方向の少なくとも一つが地側に向くよう形成されることを特徴とする。
【０００７】
本発明の燃料ポンプでは、電力を受電する接続端子が電気コネクタ部の収容室に収容されている。電気コネクタ部は、収容室と外部とを連通する複数の第１連通孔を有している。当該複数の第１連通孔は、ポンプケースの中心軸が天地方向に対して傾くと、外部側の開口が形成する開口面に対する垂直な方向の少なくとも一つが地側に向くよう形成されている。ここで、「開口面」とは、開口を形成する縁部上の全ての点を通る仮想平面を指す。これにより、ポンプケースの中心軸がいずれかの方向に傾くと、電気コネクタ部の収容室に溜まっている水などの異物が当該複数の第１連通孔を介して電気コネクタ部の外部に排出される。したがって、本発明の燃料ポンプでは、水などの異物による接続端子の腐食や短絡を防止することができる。
【図面の簡単な説明】
【０００８】
【図１】本発明の一実施形態による燃料ポンプの断面図である。
【図２】図１のＩＩ矢視図である。
【図３】図１のＩＩＩ矢視図である。
【図４】図２のＩＶ部拡大図である。
【発明を実施するための形態】
【０００９】
以下、本発明の実施形態を図面に基づいて説明する。
【００１０】
（一実施形態）
本発明の一実施形態による燃料ポンプについて、図１〜図４に基づいて説明する。
【００１１】
燃料ポンプ１は、モータ部３、ポンプ部４、ハウジング２０、ポンプカバー６０、カバーエンド４０、及び、電気コネクタ部４５などから構成される。燃料ポンプ１では、モータ部３及びポンプ部４は、ハウジング２０、ポンプカバー６０、及び、カバーエンド４０により形成される空間に収容されている。燃料ポンプ１は、図１の下側に示す吸入口６１から図示しない燃料タンク内の燃料を吸入し、図１の上側に示す吐出口４２２から内燃機関に吐出する。なお、図１〜４では、上側を「天側」、下側を「地側」とする。ハウジング２０、ポンプカバー６０、及び、カバーエンド４０は、特許請求の範囲に記載の「ポンプケース」に相当する。
【００１２】
ハウジング２０は、鉄などの金属により円筒状に形成されている。
ポンプカバー６０は、ハウジング２０の吸入口６１側の端部２０１を塞いでいる。ポンプカバー６０は、端部２０１の縁が内側へ加締められることにより、ハウジング２０の内側で固定され、ハウジング２０の中心軸φ、すなわち、燃料ポンプ１の中心軸φ方向への抜けが規制されている。
【００１３】
カバーエンド４０は、樹脂から成形され、ハウジング２０の吐出口４２２側の端部２０２を塞いでいる。カバーエンド４０は、ベース部４１、吐出部４２、軸受収容部４３などから構成されている。
【００１４】
ベース部４１は、ハウジング２０の端部２０２を塞ぐよう設けられる。ベース部４１は、モータ部３のステータ１０の天側と接続し、ステータ１０と一体となるよう形成されている。ベース部４１は、ベース部４１の径方向外側の縁部４１１がハウジング２０の端部２０２の縁により加締められる。これにより、ハウジング２０の内側で固定され、燃料ポンプ１の中心軸φ方向への抜けが規制される。ベース部４１は、中心からずれた位置に吐出部４２の燃料通路４２１に連通する燃料通路４１２が形成されている。ベース部４１には、ハウジング２０の外部側に吐出部４２が接続する。
【００１５】
吐出部４２は、略筒状に形成され、ベース部４１の中心からずれた位置にハウジング２０の外側に延びるよう設けられる。吐出部４２は、ハウジング２０内の燃料が流れる燃料通路４２１、及び、吐出口４２２を有する。
【００１６】
軸受収容部４３は、略有底筒状に形成され、ベース部４１の略中央からハウジング２０の内部の方向に延びるよう設けられている。軸受収容部４３は、内部にシャフト５２の端部５２１、及び、端部５２１を回転可能に支持する軸受５５が収容される空間４３０を有する。
【００１７】
電気コネクタ部４５は、ベース部４１の中心に対して吐出部４２とは反対側に設けられる。電気コネクタ部４５は、有底筒状に形成される。電気コネクタ部４５は、内部に三つの接続端子３７、３８、３９のそれぞれを収容する「収容室」としての３つの区画室４５１、４５２、４５３を有する。電気コネクタ部４５の詳細な構造は後述する。
【００１８】
モータ部３は、ステータ１０、ロータ５０、シャフト５２などから構成されている。モータ部３は、ブラシレスモータであって、ステータ１０に電力が供給されると回転磁界が生じ、ロータ５０がシャフト５２とともに回転する。
【００１９】
ステータ１０は、円筒状を呈し、ハウジング２０内の径方向外側に収容されている。ステータ１０は、六つのコア１２、六つのボビン、六つの巻線、及び、三つの接続端子などを有している。ステータ１０は、これらを樹脂によりモールドすることにより一体に形成される。
【００２０】
コア１２は、それぞれ板状の鉄など磁性材料が複数枚重なることにより形成されている。コア１２は、周方向に並べられ、ロータ５０の磁石５４に対向する位置に設けられている。
【００２１】
ボビン１４は、樹脂材料から形成されており、形成時にそれぞれコア１２がインサートされてコア１２と一体となって設けられる。ボビン１４は、吐出口４２２側に形成される上端部１４１、コアがインサートされているインサート部１４２、及び、吸入口６１側に形成される下端部１４３から構成されている。
【００２２】
巻線は、例えば表面が絶縁皮膜で被覆された銅線である。一つの巻線は、コア１２がインサートされたボビン１４に巻回され、一つのコイルを形成する。一つの巻線は、ボビン１４の上端部１４１に巻回される上端巻回部１６１、ボビン１４のインサート部に巻回されるインサート巻回部、及び、ボビン１４の下端部１４３に巻回される下端巻回部１６３などから構成される。巻線は、燃料ポンプ１の天側に設けられる三つの接続端子３７、３８、３９のいずれかと電気的に接続する。
【００２３】
三つの接続端子３７、３８、３９は、エンドカバー４０のベース部４１に固定されている。三つの接続端子３７、３８、３９は、図示しない電源装置からの３相電力を受電する。
【００２４】
ロータ５０は、ステータ１０の内側に回転可能に収容される。ロータは、鉄心５３の周囲に磁石５４が設けられる。磁石５４は、周方向にＮ極とＳ極とが交互に配置されている。一実施形態では、Ｎ極及びＳ極は２極対、計４極設けられている。
【００２５】
シャフト５２は、ロータ５０の回転軸上に形成された軸穴５１に圧入固定されており、ロータ５０とともに回転する。
【００２６】
次にポンプ部４の構成について説明する。
ポンプカバー６０は、図１に示すように、地側に開口する筒状の吸入口６１を有している。吸入口６１の内側には、ポンプカバー６０をシャフト５２の回転軸方向に貫く吸入通路６２が形成されている。
ポンプカバー６０とステータ１０との間には、ポンプケーシング７０が略円板状に設けられている。ポンプケーシング７０の中心部には、ポンプケーシング７０を板厚方向に貫く穴７１が形成されている。穴７１には、軸受５６が嵌め込まれている。軸受５６は、シャフト５２のポンプ室７２側の端部５２２を回転可能に支持している。これにより、ロータ５０及びシャフト５２は、カバーエンド４０及びポンプケーシング７０に対し回転可能となっている。
【００２７】
インペラ６５は、樹脂により略円板状に形成されている。インペラ６５は、ポンプカバー６０とポンプケーシング７０との間のポンプ室７２に収容されている。シャフト５２の径方向外側の端部は、外壁の一部がカットされたＤ字形状となっている。シャフト５２の端部５２２は、インペラ６５の中心部に形成された対応するＤ字形状の穴６６に嵌め込まれている。これにより、インペラ６５は、シャフト５２の回転によってポンプ室７２内で回転する。
【００２８】
ポンプカバー６０のインペラ６５側の面には、吸入通路６２と接続する溝６３が形成されている。また、ポンプケーシング７０のインペラ６５側の面には、溝７３が形成されている。溝７３には、ポンプケーシング７０をシャフト５２の回転軸方向に貫く燃料通路７４が連通している。インペラ６５には、溝６３及び溝７３に対応する位置に羽根部６７が形成されている。
【００２９】
燃料ポンプ１では、接続端子３７、３８、３９を介してモータ部３の巻線に電力が供給されるとロータ５０及びシャフト５２とともにインペラ６５が回転する。インペラ６５が回転すると、燃料ポンプ１を収容する燃料タンク内の燃料は、吸入口６１を経由して溝６３に導かれる。溝６３に導かれた燃料は、インペラ６５の回転により昇圧され溝７３に導かれる。昇圧された燃料は、燃料通路７４を通り、ポンプケーシング７０とモータ部３との間に形成される中間室７５に導かれる。
【００３０】
中間室７５に導かれた燃料は、ロータ５０とステータ１０との間の燃料通路７７、シャフト５２の外壁とボビン１４の内壁１４４との間の燃料通路７８、カバーエンド４０のベース部４１と軸受け収容部４３との間に形成される燃料通路７９を通る。また、中間室７５に導かれた燃料の一部は、ハウジング２０とステータ１０との間に形成される燃料通路７６を通る。燃料通路７６、７７、７８を通った燃料は、燃料通路４１２に導入される。燃料通路４１２に導入された燃料は、燃料通路４２１及び吐出口４２２を介して外部に吐出される。
【００３１】
一実施形態による燃料ポンプ１は、電気コネクタ部４５の形状に特徴がある。ここでは、主に図２〜４に基づいて、電気コネクタ部４５の詳細な形状を説明する。図２は、電気コネクタ部４５を含むカバーエンド４０を天側から視た模式図である。図３は、電気コネクタ部４５を燃料ポンプ１の径外方向から視た模式図である。図４は、図２のＩＶ部拡大図である。
【００３２】
電気コネクタ部４５は、外側壁４６、四つの内側壁４７１、４７２、４７３、４７４、二つの接続壁４８１、４８２、二つの隔壁４９１、４９２などから構成されている。
【００３３】
外側壁４６は、カバーエンド４０の径方向外側にハウジング２０の略円弧形状に沿って形成される。外側壁４６は、電気コネクタ部４５の内部と外部とを連通する第１連通孔４６１、４６２、４６３、４６４を有する。第１連通孔４６１、４６２、４６３、４６４は、図３に示すように、外側壁４６の地側、すなわち、電気コネクタ部４５のベース部４１と接続する側の端部に設けられる。
【００３４】
図４に示すように、第１連通孔４６１は、区画室４５１と電気コネクタ部４５の外部とを連通する。第１連通孔４６１の外部側の開口８１を形成する縁部上の全ての点を通る仮想平面を開口面Ｐ８１とすると、開口面Ｐ８１に対する垂直な方向は、二点差線矢印で示す方向Ｄ８１となる。
第１連通孔４６２は、区画室４５１、４５２と電気コネクタ部４５の外部とを連通する。第１連通孔４６２の外部側の開口８２を形成する縁部上の全ての点を通る仮想平面を開口面Ｐ８２とすると、開口面Ｐ８２に対する垂直な方向は、方向Ｄ８１とは方向が異なる二点差線矢印で示す方向Ｄ８２となる。
第１連通孔４６３は、区画室４５２、４５３と電気コネクタ部４５の外部とを連通する。第１連通孔４６３の外部側の開口８３を形成する縁部上の全ての点を通る仮想平面を開口面Ｐ８３とすると、開口面Ｐ８３に対する垂直な方向は、方向Ｄ８１、Ｄ８２とは方向が異なる二点差線矢印で示す方向Ｄ８３となる。
第１連通孔４６４は、区画室４５３と電気コネクタ部４５の外部とを連通する。第１連通孔４６４の外部側の開口８４を形成する縁部上の全ての点を通る仮想平面を開口面Ｐ８４とすると、開口面Ｐ８４に対する垂直な方向は、方向Ｄ８１、Ｄ８２、Ｄ８３とは方向が異なる二点差線矢印で示す方向Ｄ８４となる。
【００３５】
また、図３、４に示すように、第１連通孔４６１を形成する側壁８１２、第１連通孔４６２を形成する側壁８２１、８２２、第１連通孔４６３を形成する側壁８３１、８３２、第１連通孔４６４を形成する側壁８４１は、平行となるよう形成されている。なお、ここでいう「平行」とは、厳密な平行に限らず、平行であると認識可能な程度の関係であればよい。
【００３６】
内側壁４７１、４７２、４７３、４７４は、カバーエンド４０の径方向内側に外側壁４６より半径が小さい円弧上に並ぶよう設けられている。内側壁４７１、４７２、４７３、４７４は、地側において互いに接続している（図１参照）。
内側壁４７１と内側壁４７２との間には、内側壁４７１、４７２の天地方向の長さと略同じ長さの第１連通孔４７６が形成されている。第１連通孔４７６の外部側の開口８６を形成する縁部上の全ての点を通る仮想平面を開口面Ｐ８６とすると、開口面Ｐ８６に対する垂直な方向は、方向Ｄ８１、Ｄ８２、Ｄ８３、Ｄ８４とは方向が異なる二点差線矢印で示す方向Ｄ８６となる。
内側壁４７２と内側壁４７３との間には、内側壁４７２、４７３の天地方向の長さと略同じ長さの第１連通孔４７７が形成されている。第１連通孔４７７の外部側の開口８７を形成する縁部上の全ての点を通る仮想平面を開口面Ｐ８７とすると、開口面Ｐ８７に対する垂直な方向は、方向Ｄ８１、Ｄ８２、Ｄ８３、Ｄ８４、Ｄ８６とは方向が異なる二点差線矢印で示す方向Ｄ８７となる。
内側壁４７３と内側壁４７４との間には、内側壁４７３、４７４の天地方向の長さと略同じ長さの第１連通孔４７８が形成されている。第１連通孔４７８の外部側の開口８８を形成する縁部上の全ての点を通る仮想平面を開口面Ｐ８８とすると、開口面Ｐ８８に対する垂直な方向は、方向Ｄ８１、Ｄ８２、Ｄ８３、Ｄ８４、Ｄ８６、Ｄ８７とは方向が異なる二点差線矢印で示す方向Ｄ８８となる。なお、一実施形態による燃料ポンプ１では、方向Ｄ８１、Ｄ８２、Ｄ８３、Ｄ８４、Ｄ８６、Ｄ８７、Ｄ８８を示す二点差線矢印は同一平面上に形成されている。
【００３７】
接続壁４８１は、径方向に延びるよう形成され、外側壁４６の第１連通孔４６１が設けられる端部と内側壁４７１とを接続する。接続壁４８２は、径方向に延びるよう形成され、外側壁４６の第１連通孔４６４が設けられる端部と内側壁４７４とを接続する。
【００３８】
隔壁４９１は、径方向に延びるよう形成され、外側壁４６と内側壁４７２とを接続する。隔壁４９１は、電気コネクタ部４５の内部を区画室４５１と区画室４５２とに区画する。隔壁４９１には、区画室４５１と区画室４５２とを連通する第２連通孔４９３が地側に形成されている。
隔壁４９２は、径方向に延びるよう形成され、外側壁４６と内側壁４７３とを接続する。隔壁４９２は、電気コネクタ部４５の内部を区画室４５２と区画室４５３とに区画する。隔壁４９２には、区画室４５２と区画室４５３とを連通する第２連通孔４９４が地側に形成されている。
【００３９】
電気コネクタ部４５内の接続端子３７、３８、３９が設けられる地側の内壁は、接続端子３７、３８、３９が設けられる位置から外部に向かって傾斜するよう形成されている。具体的には、図１に示すように、区画室３５２の地側の内壁３８１、３８２は、接続端子３８が設けられる位置から電気コネクタ部４５の外部側に向かって天側から地側に傾斜するよう形成されている。ここでは、接続端子３７、３９が収容される区画室４５１、４５３の地側の内壁について図示しないが、区画室４５２の地側の内壁３８１、３８２と同様に接続端子３７、３９が設けられる位置から電気コネクタ部４５の外部側に向かって天側から地側に傾斜するよう形成されている。
【００４０】
一実施形態による燃料ポンプ１では、電気コネクタ部４５が有する区画室４５１、４５２、４５３と外部とを連通する第１連通孔４６１、４６２、４６３、４６４、４７６、４７７、４７８が形成されている。第１連通孔４６１、４６２、４６３、４６４、４７６、４７７、４７８は、図４に示すように、それぞれの開口面Ｐ８１、Ｐ８２、Ｐ８３、Ｐ８４、Ｐ８６、Ｐ８７、Ｐ８８に対する垂直な方向Ｄ８１、Ｄ８２、Ｄ８３、Ｄ８４、Ｄ８６、Ｄ８７、Ｄ８８が電気コネクタ部４５を略中心として同一平面上において放射状に形成されている。第１連通孔４６１、４６２、４６３、４６４、４７６、４７７、４７８では、燃料ポンプ１の中心軸φが天地方向に対して傾いたとき、方向Ｄ８１、Ｄ８２、Ｄ８３、Ｄ８４、Ｄ８６、Ｄ８７、Ｄ８８の少なくとも一つの方向が地側に向く。これにより、電気コネクタ部４５の内部に溜まる水などの異物は、第１連通孔４６１、４６２、４６３、４６４、４７６、４７７、４７８のうちの少なくとも一つの第１連通孔を介して外部に確実に排出される。したがって、一実施形態による燃料ポンプ１では、電気コネクタ部４５に溜まる水などの異物による接続端子３７、３８、３９の腐食や短絡を防止することができる。
【００４１】
燃料ポンプ１では、区画室４５１、４５２、４５３を形成する地側の内壁は、接続端子３７、３８、３９が設けられる位置から電気コネクタ部４５の外部側に向かって天側から地側に傾斜するよう形成されている。これにより、区画室４５１、４５２、４５３にある水などの異物は、天側から地側に向かって地側の内壁３８１、３８２上を流れ、第１連通孔４６１、４６２、４６３、４６４、４７６、４７７、４７８を介して外部に排出される。これにより、燃料ポンプ１の中心軸φが天地方向に対して傾いていないときであっても電気コネクタ部４５の内部に溜まる水などの異物を効率的に外部に排出することができる。したがって、電気コネクタ部４５に溜まる水などの異物による接続端子３７、３８、３９の腐食や短絡をさらに防止することができる。
【００４２】
また、電気コネクタ部４５の内部を区画室４５１、４５２、４５３に区画する隔壁４９１、４９２は、区画室４５１と区画室４５２、及び、区画室４５２と区画室４５３とを連通する第２連通孔４９３、４９４を有している。これにより、特定の区画室に溜まる水分などの異物は、燃料ポンプ１の傾きにより当該特定の区画室より地側に位置する区画室に流れ、当該地側に位置する区画室の第１連通孔を介して外部に排出される。したがって、電気コネクタ部４５に溜まる水などの異物による接続端子３７、３８、３９の腐食をさらに防止することができる。
【００４３】
また、一つの区画室に対して第１連通孔及び第２連通孔を含む複数の連通孔が異なる方向に形成されている。これにより、区画室内に空気の流れが形成されやすくなり、水などの異物を第１連通孔や第２連通孔に向かって容易に流すことができるとともに区画室内を容易に乾燥することができる。したがって、電気コネクタ部４５に溜まる水などの異物による接続端子３７、３８、３９の腐食をさらに防止することができる。
【００４４】
また、燃料ポンプ１では、電気コネクタ部４５の外側壁４６が有する第１連通孔４６１を形成する側壁８１２、第１連通孔４６２を形成する側壁８２１、８２２、第１連通孔４６３を形成する側壁８３１、８３２、第１連通孔４６４を形成する側壁８４１が、平行となるよう設けられている。これにより、ベース部４１とともに電気コネクタ部４５を金型によって樹脂成形する場合、第１連通孔４６１、４６２、４６３、４６４を形成する金型を一方向、具体的には、側壁８１２、８２１、８２２、８３１、８３２、８４１と平行な方向に引き抜くことによって第１連通孔４６１、４６２、４６３、４６４を成形することができる。したがって、複数の第１連通孔を有するエンドカバー４０を容易に作ることができる。
【００４５】
（他の実施形態）
（ア）上述の実施形態では、七つの第１連通孔の外部側の開口の開口面に対する垂直な方向は、同一平面上に形成されるとした。しかしながら、同一平面上に形成されなくてもよい。燃料ポンプの中心軸が天地方向に対して傾いたとき、少なくとも一つの方向が地側に向くよう形成されればよい。
【００４６】
（イ）上述の実施形態では、第１連通孔は、七つ形成されるとした。しかしながら、電気コネクタ部の収容室と外部とを連通する第１連通孔の数はこれに限定されない。
【００４７】
（ウ）上述の実施形態では、接続端子を収容する「収容室」は、三つの区画室から構成されるとした。しかしながら、「収容室」の構成はこれに限定されない。一つの空間であってもよいし、二つの区画室、または四つ以上の区画室から構成されてもよい。
【００４８】
（エ）上述の実施形態では、第２連通孔は二つ形成されるとした。しかしながら、第２連通孔の数はこれに限定されない。第２連通孔はなくてもよいし、一つ、または、三つ以上であってもよい。
【００４９】
以上、本発明はこのような実施形態に限定されるものではなく、その要旨を逸脱しない範囲で種々の形態により実施可能である。
【符号の説明】
【００５０】
１              ・・・燃料ポンプ、
１０            ・・・ステータ、
２０            ・・・ハウジング（ポンプケース）、
３７、３８、３９・・・接続端子、
４０            ・・・カバーエンド（ポンプケース）、
４５            ・・・電気コネクタ部、
４６１、４６２、４６３、４６４、４７６、４７７、４７８・・・第１連通孔、
５０            ・・・ロータ、
５２            ・・・シャフト、
６０            ・・・ポンプカバー（ポンプケース）、
６５            ・・・インペラ、
Ｄ８１、Ｄ８２、Ｄ８３、Ｄ８４、Ｄ８６、Ｄ８７、Ｄ８８・・・方向、
Ｐ８１、Ｐ８２、Ｐ８３、Ｐ８４、Ｐ８６、Ｐ８７、Ｐ８８・・・開口面、
φ              ・・・中心軸。
【図１】
2015059434.tif 000003
【図２】
2015059434.tif 000004
【図３】
2015059434.tif 000005
【図４】
2015059434.tif 000006